(57)【要約】【課題】複数の雄端子と電線付きのコネクタの雄インナハウジングをグロメットの蛇腹状の筒部に貫通させる作業を容易に行うことができる保護キャップを提供する。【解決手段】グロメット６０の環状シール部６１に装着される雄アウタハウジングと、複数の電線５１に接続された雄端子５０を収容保持した状態で雄アウタハウジングのインナハウジング収容室に収容される雄インナハウジング４１とからなるコネクタで、複数の雄端子５０と電線５１付きの雄インナハウジング４１をグロメット６０の蛇腹状の筒部６２に貫通させる際に用いる保護キャップ７０において、雄インナハウジング４１の前面４１ａより突出した雄端子５０のタブ部５０ａを収容すると共に、雄インナハウジング４１の前側を嵌合する収容凹部７４を形成した円形状のキャップ本体７１を備え、キャップ本体７１の外径Ｒ１をグロメット６０の蛇腹状の筒部６２の内径Ｒ２よりも小さく形成した。【選択図】図５
2018060702.tif 000002
【特許請求の範囲】
【請求項１】
グロメットの環状シール部に装着される雄アウタハウジングと、複数の電線に接続された雄端子を収容保持した状態で前記雄アウタハウジングのインナハウジング収容室に収容される雄インナハウジングとからなるコネクタで、前記複数の雄端子と電線付きの前記雄インナハウジングを前記グロメットの蛇腹状の筒部に貫通させる際に用いる保護キャップにおいて、
前記雄インナハウジングの前面より突出した前記雄端子のタブ部を収容すると共に前記雄インナハウジングの少なくとも前側を嵌合する収容凹部を形成した円形状のキャップ本体を備え、
前記キャップ本体の外径を前記グロメットの蛇腹状の筒部の内径よりも小さく形成したことを特徴とする保護キャップ。
【請求項２】
請求項１記載の保護キャップであって、
前記雄インナハウジングは少なくとも２分割のインナハウジングからなり、
前記キャップ本体に前記分割状態のインナハウジングを嵌合する収容凹部を形成したことを特徴とする保護キャップ。
【請求項３】
請求項２記載の保護キャップであって、
前記分割状態のインナハウジング及び前記キャップ本体に電線を避けるための切欠きをそれぞれ形成したことを特徴とする保護キャップ。
【請求項４】
請求項２又は３記載の保護キャップであって、
前記キャップ本体の収容凹部を該１つの収容凹部で複数の分割状態のインナハウジングの嵌合に対応可能な大きさに形成したことを特徴とする保護キャップ。
【発明の詳細な説明】
【技術分野】
【０００１】
本発明は、複数の雄端子と電線付きのコネクタの雄インナハウジングをグロメットの蛇腹状の筒部に貫通させる際に用いる保護キャップに関する。
【背景技術】
【０００２】
この種の保護キャップとして、特許文献１に開示されたものがある。
【０００３】
この保護キャップ１は、図１３及び図１４に示すように、前部から中央部分にかけて雄コネクタハウジング５の前端面５ａから突出する雄端子７のタブ部７ａの周囲を囲む合成樹脂製で四角筒状のキャップ本体２と、このキャップ本体２の後側に設けられて、雄コネクタハウジング５との係合を行うキャップ側係合部３と、を備えている。
【０００４】
キャップ側係合部３は、雄コネクタハウジング５の前端面５ａに組み付く筒状部３Ａと、この筒状部３Ａの左右両側壁面から延出される一対の撓み係合部３Ｂ，３Ｂとからなる。また、筒状部３Ａの後端部分からは、上下にリテーナ保護リブ４が突設されており、待機位置にあるリテーナ９が誤って係止位置に落ち込むのを防止する。
【０００５】
尚、雄コネクタハウジング５は、分割式コネクタの雄型コネクタのハウジングであり、上下２段と左右に複数形成されたキャビティ６内に雄端子７を収容してある。また、雄コネクタハウジング５の中央部分にはキャビティ６に連通するリテーナ装着口８が凹設されており、このリテーナ装着口８に組み付けられたリテーナ９とキャビティ６に形成されたランス６ａとにより雄端子７は二重係止される。
【先行技術文献】
【特許文献】
【０００６】
【特許文献１】特開２０００−５８１９０号公報
【特許文献２】特開２０１４−３３５６３号公報
【発明の概要】
【発明が解決しようとする課題】
【０００７】
しかしながら、前記従来の保護キャップ１では、コネクタハウジング５の前端面５ａ側に保護キャップ１を組み付けた状態でグロメットの蛇腹状の筒部に貫通させる時に、キャップ本体２が四角筒状に形成されているため、グロメットの蛇腹状の筒部内に引っ掛かる形状が多く、貫通作業時にグロメットを傷つける可能性があった。
【０００８】
そこで、本発明は、前記した課題を解決すべくなされたものであり、複数の雄端子と電線付きのコネクタの雄インナハウジングをグロメットの蛇腹状の筒部に貫通させる作業を容易かつスムーズに行うことができる保護キャップを提供することを目的とする。
【課題を解決するための手段】
【０００９】
請求項１の発明は、グロメットの環状シール部に装着される雄アウタハウジングと、複数の電線に接続された雄端子を収容保持した状態で前記雄アウタハウジングのインナハウジング収容室に収容される雄インナハウジングとからなるコネクタで、前記複数の雄端子と電線付きの前記雄インナハウジングを前記グロメットの蛇腹状の筒部に貫通させる際に用いる保護キャップにおいて、前記雄インナハウジングの前面より突出した前記雄端子のタブ部を収容すると共に前記雄インナハウジングの少なくとも前側を嵌合する収容凹部を形成した円形状のキャップ本体を備え、前記キャップ本体の外径を前記グロメットの蛇腹状の筒部の内径よりも小さく形成したことを特徴とする。
【００１０】
請求項２の発明は、請求項１記載の保護キャップであって、前記雄インナハウジングは少なくとも２分割のインナハウジングからなり、前記キャップ本体に前記分割状態のインナハウジングを嵌合する収容凹部を形成したことを特徴とする。
【００１１】
請求項３の発明は、請求項２記載の保護キャップであって、前記分割状態のインナハウジング及び前記キャップ本体に電線を避けるための切欠きをそれぞれ形成したことを特徴とする。
【００１２】
請求項４の発明は、請求項２又は３記載の保護キャップであって、前記キャップ本体の収容凹部を該１つの収容凹部で複数の分割状態のインナハウジングの嵌合に対応可能な大きさに形成したことを特徴とする。
【発明の効果】
【００１３】
以上説明したように、請求項１の発明によれば、雄インナハウジングの前面より突出した雄端子のタブ部を収容すると共に雄インナハウジングの少なくとも前側を嵌合する収容凹部を形成した円形状のキャップ本体を備え、キャップ本体の外径をグロメットの蛇腹状の筒部の内径よりも小さく形成したことにより、複数の雄端子と電線付きの雄インナハウジングをグロメットの蛇腹状の筒部に貫通させる際に、保護キャップがグロメットの蛇腹状の筒部内に引っ掛かることを抑制することができ、グロメット貫通作業を容易かつスムーズに行うことができる。これにより、グロメットを傷つけることを防止することができる。
【００１４】
請求項２の発明によれば、雄インナハウジングは少なくとも２分割のインナハウジングからなり、キャップ本体に分割状態のインナハウジングを嵌合する収容凹部を形成したことにより、複数の雄端子と電線付きの分割状態のインナハウジングをグロメットの蛇腹状の筒部に貫通させる際に、グロメット貫通作業を容易かつスムーズに行うことができる。
【００１５】
請求項３の発明によれば、分割状態のインナハウジング及びキャップ本体に電線を避けるための切欠きをそれぞれ形成したことにより、分割状態の一方の雄インナハウジングをグロメットの蛇腹状の筒部に貫通させる時に、先に通した他方の雄インナハウジングの複数の電線の束が邪魔になることはない。
【００１６】
請求項４の発明によれば、キャップ本体の収容凹部を該１つの収容凹部で複数の分割状態のインナハウジングの嵌合に対応可能な大きさに形成したことにより、１つの保護キャップで複数の分割状態のインナハウジングを嵌合することができ、その分部品点数を減らして低コスト化を図ることができる。
【図面の簡単な説明】
【００１７】
【図１】本発明の第１実施形態の雄インナハウジングを備えた雄コネクタと保護キャップとグロメットの関係を示す斜視図である。
【図２】上記保護キャップに雄インナハウジングを取り付ける前の斜視図である。
【図３】上記雄インナハウジングに電線付きの雄端子を挿入する前の斜視図である。
【図４】上記雄インナハウジングに電線付きの雄端子を挿入した後の斜視図である。
【図５】（ａ）は上記保護キャップ付きの雄インナハウジングをグロメットの蛇腹状の筒部に貫通させる前の斜視図、（ｂ）は同貫通させる前の断面図である。
【図６】（ａ）は上記保護キャップ付きの雄インナハウジングをグロメットの蛇腹状の筒部に貫通させる途中の斜視図、（ｂ）は同貫通させる途中の断面図である。
【図７】（ａ）は上記保護キャップ付きの雄インナハウジングをグロメットの蛇腹状の筒部に貫通させた後の斜視図、（ｂ）は同貫通させた後の断面図である。
【図８】上記グロメットに雄コネクタを装着した状態を示す斜視図である。
【図９】本発明の第２実施形態の分割式の雄インナハウジングを備えた雄コネクタと保護キャップとグロメットの関係を示す斜視図である。
【図１０】（ａ）は上記第２実施形態の保護キャップに雄端子と電線付きの一方の雄インナハウジングを組み付ける前の斜視図、（ｂ）は同組み付ける前の背面図である。
【図１１】（ａ）は上記第２実施形態の保護キャップに雄端子と電線付きの他方の雄インナハウジングを組み付ける前の斜視図、（ｂ）は同組み付ける前の背面図である。
【図１２】上記グロメットの蛇腹状の筒部に上記保護キャップ付きの他方の雄インナハウジングを貫通させた状態を一部断面で示す背面図である。
【図１３】従来例のコネクタに用いる保護キャップの斜視図である。
【図１４】従来例のコネクタに保護キャップを組み付けた側断面図である。
【発明を実施するための形態】
【００１８】
以下、本発明の実施形態を図面に基づいて説明する。
【００１９】
図１は本発明の第１実施形態の雄インナハウジングを備えた雄コネクタと保護キャップとグロメットの関係を示す斜視図、図２は保護キャップに雄インナハウジングを取り付ける前の斜視図、図３は雄インナハウジングに電線付きの雄端子を挿入する前の斜視図、図４は雄インナハウジングに電線付きの雄端子を挿入した後の斜視図、図５（ａ）は保護キャップ付きの雄インナハウジングをグロメットの蛇腹状の筒部に貫通させる前の斜視図、図５（ｂ）は同貫通させる前の断面図、図６（ａ）は保護キャップ付きの雄インナハウジングをグロメットの蛇腹状の筒部に貫通させる途中の斜視図、図６（ｂ）は同貫通させる途中の断面図、図７（ａ）は保護キャップ付きの雄インナハウジングをグロメットの蛇腹状の筒部に貫通させた後の斜視図、図８（ｂ）は同貫通させた後の断面図、図８はグロメットに雄コネクタを装着した状態を示す斜視図である。
【００２０】
図１及び図８に示すように、レバー式コネクタ１０は、互いに嵌合・離脱可能な雄コネクタ（コネクタ）１１と図示しない雌コネクタからなり、例えば自動車のフロントドア用コネクタとして使用されるものである。雄コネクタ１１は、フード部１３を有する雄アウタハウジング１２と、この雄アウタハウジング１２に支軸１４を介して回動自在に支持されたレバー２０と、フード部１３内にて雄端子５０のタブ部５０ａを位置決めするムービングプレート３０と、雄アウタハウジング１２に形成された図示しないインナハウジング収容室（サブコネクタ収容室）に収容される雄インナハウジング４１を有した雄サブコネクタ４０を備え、複数の雄端子５０と電線５１付きの雄インナハウジング４１をゴム製のグロメット６０の蛇腹状の円筒部（筒部）６２内に貫通させる際に保護キャップ７０を用いる。尚、レバー２０のカム溝２１に図示しない雌コネクタのカムフォロアを係合させた状態でレバー２０を操作することで、雌コネクタがムービングプレート３０と共にフード部１３内の奥側と開口側に移動して雄アウタハウジング１２に嵌合・離脱するようになっている。
【００２１】
また、雄アウタハウジング１２の後端の外周には、環板状のフランジ部（鍔部）１５を一体突出形成してある。この環状のフランジ部１５には、ゴム製のグロメット６０の前側の環状シール部６１の凹溝６１ａが嵌め込まれるようになっている。さらに、雄アウタハウジング１２の後端の外周には、上下各一対の係止突起１６，１６を一体突出形成してある。そして、雄アウタハウジング１２が図示しない自動車のパネルの取付孔にドア側から貫通すると、パネルの取付孔の周囲のボディ側の面に雄アウタハウジング１２の各一対の係止突起１６，１６の先端が係止されることで、雄コネクタ１１がパネルの取付孔にグロメット６０の前側の環状シール部６１を介してシールされた状態で取り付けられるようになっている。
【００２２】
図２〜図４に示すように、雄サブコネクタ４０は、合成樹脂により略角ブロック状に形成された雄インナハウジング４１を有しており、雄アウタハウジング１２の図示しないインナハウジング収容室（サブコネクタ収容室）内に後方から挿入されて収容される。雄インナハウジング４１の内部には、電線５１の端末に接続された雄端子５０を収容可能な複数のキャビティ４２が前後方向に貫通して形成されている。キャビティ４２の内壁には、雄端子５０を抜け止めする図示しない可撓性のランスを形成してある。また、雄インナハウジング４１には、各キャビティ４２と連通するスペーサ装着孔４３が上面に開口して形成されている。このスペーサ装着孔４３内には上方からスペーサ４４が挿入され、スペーサ装着孔４３内に正規深さで挿入されたスペーサ４４と図示しないランスとで雄端子５０を二重係止するようになっている。尚、スペーサ４４の雄インナハウジング４１の複数のキャビティ４２に対応する位置には、複数の端子収容孔４４ａを形成してある。
【００２３】
図１〜図７に示すように、複数の雄端子５０と電線５１付きの雄インナハウジング４１をグロメット６０の蛇腹状の円筒部６２に貫通させる際に用いる保護キャップ７０は、雄インナハウジング４１の前面４１ａより突出した雄端子５０のタブ部５０ａを収容すると共に雄インナハウジング４１の前側を嵌合する収容凹部７４を形成した合成樹脂製で円形状のキャップ本体７１を備えている。
【００２４】
図２〜図５に示すように、キャップ本体７１の前部７２は外側周縁に円錐面７２ａを形成した円板状になっていて、その後部７３は円筒状に形成されている。この後部７３の内部には、雄インナハウジング４１の前面４１ａより突出した雄端子５０のタブ部５０ａを収容すると共に雄インナハウジング４１の前側を嵌合する大きさの矩形で段差状の収容凹部７４を形成してある。即ち、収容凹部７４の前部７４ａに雄インナハウジング４１の前面４１ａより突出した雄端子５０のタブ部５０ａを収容すると共に、収容凹部７４の後部７４ｂに雄インナハウジング４１の前側を嵌め込むようになっている。
【００２５】
また、図５（ｂ）に示すように、キャップ本体７１の円板状の前部７２の外径Ｒ１はグロメット６０の蛇腹状の円筒部６２の内径Ｒ２よりも小さく形成してある（Ｒ１＜Ｒ２）。さらに、キャップ本体７１の後部７３の両側部７３ａ，７３ａは、雄インナハウジング４１の両側面４１ｂ，４１ｂを保持するように後部７３より延出して外周面が円弧面状になって一体突出形成されている。
【００２６】
以上実施形態の保護キャップ７０によれば、複数の雄端子５０と電線５１付きの雄コネクタ１１の雄インナハウジング４１をグロメット６０の蛇腹状の円筒部６２に貫通させる前に、まず、図２と図３に示すように、保護キャップ７０のキャップ本体７１の収容凹部７４の後部７４ｂに雄インナハウジング４１の前側を嵌め込む。次に、図４に示すように、雄インナハウジング４１のキャビティ４２に雄端子５０を挿入し、スペーサ装着孔４３にスペーサ４４を装着して雄端子５０を二重係止する。このように、保護キャップ７０に雄インナハウジング４１を取り付けてから雄インナハウジング４１に雄端子５０を挿入するため、雄端子５０のタブ部５０ａは変形することなく、キャップ本体７１の収容凹部７４の前部７４ａに収容できる。これにより、雄インナハウジング４１に電線５１付きの雄端子５０を組み付ける際に、雄端子５０のタブ部５０ａの曲がりを確実に防止することができる。
【００２７】
この状態から、図５〜図７に示すように、複数の雄端子５０と電線５１付きの雄コネクタ１１の雄インナハウジング４１をグロメット６０の蛇腹状の円筒部６２に貫通させる。この際、図６（ｂ）に示すように、保護キャップ７０のキャップ本体７１が円形で、かつ、その前部７２の外側周縁に円錐面７２ａが形成され、さらに、キャップ本体７１の外径Ｒ１がグロメット６０の蛇腹状の円筒部２６の内径Ｒ２よりも小さく形成されているため、保護キャップ７０がグロメット６０の蛇腹状の円筒部６２内に引っ掛かることが無い。これにより、グロメット貫通作業を容易かつスムーズに行うことができ、また、グロメット６０を傷つけることを防止することができる。
【００２８】
そして、図７（ａ），（ｂ）に示すように、グロメット６０の蛇腹状の円筒部６２を貫通してグロメット６０の前側の環状シール部６１から外に露出した複数の雄端子５０と電線５１付きの雄インナハウジング４１から保護キャップ７０を取り外し、この保護キャップ７０を取り外した雄インナハウジング４１を雄コネクタ１１の雄アウタハウジング１２に装着した後で、雄アウタハウジング１２の環状のフランジ部１５をグロメット６０の環状シール部６１の凹溝６１ａに嵌合することにより、図８に示すように、グロメット６０に雄コネクタ１１が装着される。
【００２９】
図９は本発明の第２実施形態の分割式の雄インナハウジングを備えた雄コネクタと保護キャップとグロメットの関係を示す斜視図、図１０（ａ）は保護キャップに雄端子と電線付きの一方の雄インナハウジングを嵌合する前の斜視図、図１０（ｂ）は同嵌合前の背面図、図１１（ａ）は保護キャップに雄端子と電線付きの他方の雄インナハウジングを嵌合する前の斜視図、図１１（ｂ）は同嵌合前の背面図、図１２はグロメットの蛇腹状の筒部に保護キャップ付きの他方の雄インナハウジングを貫通させた状態を一部断面で示す背面図である。
【００３０】
この第２実施形態では、図９に示すように、グロメット６０の蛇腹状の円筒部（筒部）６２に貫通させる複数の雄端子５０と電線５１付きの雄サブコネクタ４０′が２分割された雄インナハウジング４１Ａ，４１Ｂからなり、分割状態の一方の雄インナハウジング４１Ａを先にグロメット６０の蛇腹状の円筒部６２に貫通させた後で、図１２に示すように、分割状態の他方の雄インナハウジング４１Ｂをグロメット６０の蛇腹状の円筒部６２に貫通させる（図１２には先に通された一方の雄インナハウジング４１Ａの電線のみが符号５１で示されている）ものであり、これら分割状態の各雄インナハウジング４１Ａ，４１Ｂをグロメット６０の蛇腹状の円筒部６２に貫通させる際に保護キャップ７０′を用いる。尚、他方の雄インナハウジング４１Ｂを先にグロメット６０の蛇腹状の円筒部６２に貫通させた後で、一方の雄インナハウジング４１Ａをグロメット６０の蛇腹状の円筒部６２に貫通させても良い。
【００３１】
この保護キャップ７０′も第１実施形態の保護キャップ７０と同様に、各雄インナハウジング４１Ａ，４１Ｂの前面４１ａより突出した雄端子５０のタブ部５０ａを収容すると共に雄インナハウジング４１Ａ，４１Ｂの前側を嵌合する収容凹部７５を形成した合成樹脂製で円形状のキャップ本体７１を備えている。
【００３２】
キャップ本体７１の前部７２は外側周縁に円錐面７２ａを形成した円板状になっていて、その後部７３は円筒状に形成されている。また、キャップ本体７１の円板状の前部７２の外径は、グロメット６０の蛇腹状の円筒部６２の内径よりも小さく形成してある。さらに、キャップ本体７１の後部７３の内部には、各雄インナハウジング４１Ａ，４１Ｂの前面４１ａより突出した雄端子５０のタブ部５０ａを収容すると共に、雄インナハウジング４１Ａ，４１Ｂの前側を嵌め込む大きさの背面Ｌ字状の収容凹部７５を形成してある。即ち、キャップ本体７１の収容凹部７５は、１つの収容凹部７５で分割状態の雄インナハウジング４１Ａ，４１Ｂの両方を嵌合できる大きさに形成してある。また、キャップ本体７１の円板状の前部７２の外径はグロメット６０の蛇腹状の円筒部６２の内径よりも小さく形成してある。
【００３３】
さらに、分割状態の雄インナハウジング４１Ａ，４１Ｂ及びキャップ本体７１には、先に貫通させた雄インナハウジング４１Ａ，４１Ｂの電線５１の束（ワイヤハーネス）を避けるための切欠き４６，７６をそれぞれ形成してある。また、キャップ本体７１の後部７３の両側部７３ａ，７３ａ′は、雄インナハウジング４１の両側面４１ｂ，４１ｂを保持するように後部７３より延出して一体突出形成されている。尚、両側部７３ａ，７３ａ′の一方の側部７３ａは外周面が円弧面状になって一体突出形成され、他方の側部７３ａ′は上側の外周面が円弧面状になっていると共に下側の外周面は切欠き７６を形成するためにＬ字凹形に形成されている。
【００３４】
この第２実施形態の保護キャップ７０′によれば、図１０（ｂ）に示すように、保護キャップ７０′のキャップ本体７１の収容凹部７５に分割状態の一方の雄インナハウジング４１Ａを嵌め込む。そして、複数の雄端子５０と電線５１付きの分割状態の一方の雄インナハウジング４１Ａを分割状態の他方の雄インナハウジング４１Ｂより先にグロメット６０の蛇腹状の円筒部６２に貫通させる。この際、前記第１実施形態の保護キャップ７０と同様に、保護キャップ７０′のキャップ本体７１が円形で、かつ、その前部７２の外側周縁に円錐面７２ａが形成され、さらに、キャップ本体７１の外径がグロメット６０の蛇腹状の円筒部２６の内径よりも小さく形成されているため、保護キャップ７０′がグロメット６０の蛇腹状の円筒部６２内に引っ掛かることが無い。これにより、グロメット貫通作業を容易かつスムーズに行うことができ、また、グロメット６０を傷つけることを防止することができる。
【００３５】
次に、分割状態の一方の雄インナハウジング４１Ａをグロメット６０の蛇腹状の円筒部６２に貫通させた後、一方の雄インナハウジング４１Ａから保護キャップ７０′を取り外し、そのキャップ本体７１の収容凹部７５に分割状態の他方の雄インナハウジング４１Ｂを嵌合した後で、グロメット６０の蛇腹状の円筒部６２に貫通させる。この際、分割状態の他方のインナハウジング４１Ｂ及びキャップ本体７１には、先に貫通させた一方の雄インナハウジング４１Ａの複数の電線５１の束を避けるための空間をなす切欠き４６，７６がそれぞれ形成されているため、図１２に示すように、他方の雄インナハウジング４１Ｂをグロメット６０の蛇腹状の円筒部６２に貫通させる時に、先に通した一方の雄インナハウジング４１Ａの複数の電線５１の束が邪魔になることはない。
【００３６】
また、保護キャップ７０′のキャップ本体７１の１つの収容凹部７５で分割状態の複数の雄インナハウジング４１Ａ，４１Ｂをそれぞれ嵌合することができるため、その分部品点数を減らして低コスト化を図ることができる。
【００３７】
そして、分割状態の他方の雄インナハウジング４１Ｂから保護キャップ７０′を取り外し、図９に示すように、分割状態にあった両雄インナハウジング４１Ａ，４１Ｂを合体させて雄サブコネクタ４０′とした状態で、雄コネクタ１１の雄アウタハウジング１２に装着する。この後で、雄アウタハウジング１２の環状のフランジ部１５をグロメット６０の環状シール部６１の凹溝６１ａに嵌合することにより、グロメット６０に雄コネクタ１１が装着される。
【００３８】
尚、前記各実施形態によれば、グロメットの蛇腹状の筒部が円筒状の場合について説明したが、蛇腹状の筒部が円筒状以外の場合にも適用できることは勿論である。また、前記第２実施形態によれば、２分割した雄インナハウジングの場合について説明したが、３分割以上に分割した雄インナハウジングにも適用できることは勿論である。
【符号の説明】
【００３９】
１１  雄コネクタ（コネクタ）
１２  雄アウタハウジング
４１  雄インナハウジング
４１Ａ，４１Ｂ  分割状態の雄インナハウジング
４１ａ  前面
４６  切欠き
５０  雄端子
５０ａ  タブ部
５１  電線
６０  グロメット
６１  環状シール部
６２  蛇腹状の円筒部（筒部）
７０，７０′  保護キャップ
７１  キャップ本体
７４  収容凹部
７５  収容凹部
７６  切欠き
Ｒ１  キャップ本体の外径
Ｒ２  グロメットの円筒部の内径
【図１】
2018060702.tif 000003
【図２】
2018060702.tif 000004
【図３】
2018060702.tif 000005
【図４】
2018060702.tif 000006
【図５】
2018060702.tif 000007
【図６】
2018060702.tif 000008
【図７】
2018060702.tif 000009
【図８】
2018060702.tif 000010
【図９】
2018060702.tif 000011
【図１０】
2018060702.tif 000012
【図１１】
2018060702.tif 000013
【図１２】
2018060702.tif 000014
【図１３】
2018060702.tif 000015
【図１４】
2018060702.tif 000016